(57)【特許請求の範囲】
【請求項１】
バーナと、該バーナへ燃料を供給する手段と、前記バーナへ空気を供給するための送風器と、該送風器からの送風途中に配置されて空気の通風度合いを制御するダンパとを少なくとも有し、燃焼運転中においては必要燃焼熱量に対してフィードフォワード燃焼熱量とフィードバック燃焼熱量とにより燃焼熱量の調整を行うようにすると共に、フィードフォワード燃焼熱量にフィードバック燃焼熱量を加えた総燃焼熱量Ｔの大、小によって前記ダンパを開、閉に切り換えるようにした燃焼装置であって、
ダンパが閉の状態において、例え前記総燃焼熱量Ｔがダンパ開放切り換え基準熱量Ａ以上となった場合でも、該総燃焼熱量Ｔがダンパ開放切り換え基準熱量Ａよりも更に一定熱量Ｑ以上になるまでは、ダンパを元の閉状態に保持すると共に、送風器による風量をダンパが閉のときの前記ダンパ開放切り換え基準熱量Ａに対応する風量に固定し、且つ燃料供給量もダンパ開放切り換え基準熱量Ａに対応する供給量に固定するように制御するコントローラを設けたことを特徴とする燃焼装置。
【請求項２】
バーナと、該バーナへ燃料を供給する手段と、前記バーナへ空気を供給するための送風器と、該送風器からの送風途中に配置されて空気の通風度合いを制御するダンパとを少なくとも有し、燃焼運転中においては必要燃焼熱量に対してフィードフォワード燃焼熱量とフィードバック燃焼熱量とにより燃焼熱量の調整を行うようにすると共に、フィードフォワード燃焼熱量にフィードバック燃焼熱量を加えた総燃焼熱量Ｔの大、小によって前記ダンパを開、閉に切り換えるようにした燃焼装置であって、
ダンパが開の状態において、例え前記総燃焼熱量Ｔがダンパ閉止切り換え基準熱量Ｂ以下となった場合でも、該総燃焼熱量Ｔがダンパ閉止切り換え基準熱量Ｂよりも更に一定熱量Ｒ以下になるまでは、ダンパを元の開状態に保持すると共に、送風器による風量をダンパが開のときの前記ダンパ閉止切り換え基準熱量Ｂに対応する風量に固定し、且つ燃料供給量もダンパ閉止切り換え基準熱量Ｂに対応する供給量に固定するように制御するコントローラを設けたことを特徴とする燃焼装置。
【発明の詳細な説明】
【０００１】
【発明の属する技術分野】
本発明は、バーナへの燃料供給手段や空気供給手段を備えた燃焼装置に関する。
【０００２】
【従来の技術】
従来、バーナへの空気供給手段として、送風器と、該送風器からバーナへの送風通路の途中に通風度合いを制御するダンパを備えた燃焼装置が提供されている。この従来の燃焼装置では、能力小側における燃焼の余裕の拡大（赤熱防止等）を図るために、また耐風速性向上のために、前記ダンパによる通風度合いを大（開）、小（閉）の２段階に切り換えている。
一方、燃焼制御をフィードフォワード（以下、ＦＦとする）制御とフィードバック（以下、ＦＢとする）制御によって行うタイプの燃焼装置にあっては、必要燃焼熱量に対してＦＦ制御による燃焼熱量にＦＢ制御による燃焼熱量を加えることで、実際の燃焼熱量が必要燃焼熱量に近づくようにしている。
従って、従来の燃焼装置においては、ダンパの通風度合いを大、小とするためのダンパの開、閉の切り換えを、ＦＦ燃焼熱量とＦＢ燃焼熱量とを加えた総燃焼熱量Ｔによって、該総燃焼熱量Ｔがダンパ開放切り換え基準熱量Ａ（例えば燃焼号数１２号）以上になるとダンパを開（通風度合い大）に切り換え、総燃焼熱量Ｔがダンパ閉止切り換え基準熱量Ｂ（例えば燃焼号数１０号）以下になるとダンパを閉（通風度合い小）に切り換えるようにしていた。
【０００３】
【発明が解決しようとする課題】
ところが、上記ダンパの通風度合いをＦＦ燃焼熱量とＦＢ燃焼熱量とを加えた総燃焼熱量Ｔによって大、小（ダンパを開、閉）の２段に切り換えるようにした従来の燃焼装置においては、例えダンパ開放切り換え基準熱量Ａ（１２号）とダンパ閉止切り換え基準熱量Ｂ（１０号）との間でヒステリシスが設けるようにしたものであっても、前記ＦＢ燃焼熱量が頻繁に変更されることによって、前記総燃焼熱量Ｔが前記ダンパ開放切り換え基準熱量Ａ（１２号）とダンパ閉止切り換え基準熱量Ｂ（１０号）との間を越えて頻繁に上下する現象が生じる結果、ダンパの開閉がハンチング状態となる問題があった。またＦＦ燃焼熱量が変更によって総燃焼熱量Ｔがダンパの開放切り換え基準熱量Ａを越えることでダンパが閉から開へ切り換わるが、この切り換わった時点においては熱交換缶体からの出湯温度の追従の遅れに起因してＦＢ燃焼熱量が過剰に加算された状態となっているため、その短時間後に出湯温度が設定温度に近づくと、今度はＦＢ燃焼熱量が低減される結果、総燃焼熱量が再びダンパの閉止切り換え基準熱量を越えて低下するため、再びダンパが元の閉止状態に切り換わる。この結果としてダンパの開閉がハンチング状態となる問題があった。
上記のようにダンパの開、閉がハンチングすると、その過渡期における風量の急激な変動や不安定化が生じたりする問題があった。またダンパのハンチング音が問題となったり、ダンパの寿命が短くなる等の問題があった。
一方、ダンパ開放切り換え基準熱量Ａとダンパ閉止切り換え基準熱量Ｂとの間のヒステリシスを、更に大きくすることも考えられる（例えばダンパ開放切り換え基準熱量Ａを１３号、ダンパ閉止切り換え基準熱量Ｂを９号とする）が、ダンパ開放切り換え基準熱量Ａとダンパ閉止切り換え基準熱量Ｂとのヒステリシスをあまり大きくすることは、ダンパの開、閉の切り換え時における送風器の風量を過渡的により大きな変動をもって変更する必要がある等、ダンパ開閉切り換え過渡期における、燃焼運転の不安定化や、その他の問題を起こさせる原因となり、燃焼装置として好ましくない問題があった。
【０００４】
そこで本発明は上記従来の燃焼装置の問題を解消し、ＦＦ制御にＦＢ制御を加えて燃焼熱量を調節すると共に、ダンパの開、閉を燃焼熱量の大、小によって切り換えるようにした燃焼装置において、燃焼熱量が前記ダンパの開、閉の切り換え基準熱量の付近にあるときに、ダンパの開閉がハンチング状態となって頻繁に切り換わるのを防止し、これによって正確で安定した燃焼を確保すると共にダンパ開閉のハンチングによる騒音や耐久性の低下を防止することがてきる燃焼装置の提供を課題とする。
【０００５】
【課題を解決するための手段】
上記課題を達成するため、本発明の燃焼装置は、バーナと、該バーナへ燃料を供給する手段と、前記バーナへ空気を供給するための送風器と、該送風器からの送風途中に配置されて空気の通風度合いを制御するダンパとを少なくとも有し、燃焼運転中においては必要燃焼熱量に対してフィードフォワード燃焼熱量とフィードバック燃焼熱量とにより燃焼熱量の調整を行うようにすると共に、フィードフォワード燃焼熱量にフィードバック燃焼熱量を加えた総燃焼熱量Ｔの大、小によって前記ダンパを開、閉に切り換えるようにした燃焼装置であって、ダンパが閉の状態において、例え前記総燃焼熱量Ｔがダンパ開放切り換え基準熱量Ａ以上となった場合でも、該総燃焼熱量Ｔがダンパ開放切り換え基準熱量Ａよりも更に一定熱量Ｑ以上になるまでは、ダンパを元の閉状態に保持すると共に、送風器による風量をダンパが閉のときの前記ダンパ開放切り換え基準熱量Ａに対応する風量に固定し、且つ燃料供給量もダンパ開放切り換え基準熱量Ａに対応する供給量に固定するように制御するコントローラを設けたことを第１の特徴としている。
また本発明の燃焼装置は、バーナと、該バーナへ燃料を供給する手段と、前記バーナへ空気を供給するための送風器と、該送風器からの送風途中に配置されて空気の通風度合いを制御するダンパとを少なくとも有し、燃焼運転中においては必要燃焼熱量に対してフィードフォワード燃焼熱量とフィードバック燃焼熱量とにより燃焼熱量の調整を行うようにすると共に、フィードフォワード燃焼熱量にフィードバック燃焼熱量を加えた総燃焼熱量Ｔの大、小によって前記ダンパを開、閉に切り換えるようにした燃焼装置であって、ダンパが開の状態において、例え前記総燃焼熱量Ｔがダンパ閉止切り換え基準熱量Ｂ以下となった場合でも、該総燃焼熱量Ｔがダンパ閉止切り換え基準熱量Ｂよりも更に一定熱量Ｒ以下になるまでは、ダンパを元の開状態に保持すると共に、送風器による風量をダンパが開のときの前記ダンパ閉止切り換え基準熱量Ｂに対応する風量に固定し、且つ燃料供給量もダンパ閉止切り換え基準熱量Ｂに対応する供給量に固定するように制御するコントローラを設けたことを第２の特徴としている。
【０００６】
上記第１〜２の特徴において、送風器は、送風ファンやその他、種々の形式の送風器を用いることができる。
また、バーナは、石油等の液体燃料用のバーナであっても、また燃料ガス用のバーナであってもよく、その種類を特に限定されない。
また、ダンパは、送風器から送られてくる風量とダンパを介してバーナへ送られる風量との比率を変更することができるものであれば、名称の如何を問わずダンパの範囲に入るものとする。
また、ダンパによる通風度合いを小から大に切り換える基準となる熱量であるダンパ開放切り換え基準熱量Ａ、及びダンパによる通風度合いを大から小に切り換える基準となる熱量であるダンパ閉止切り換え基準熱量Ｂは、それぞれ例えば燃焼号数１２号と燃焼号数１０号とすることができるが、何れの基準熱量においても予め実験によって、適当な基準熱量を設定しておくことになる。
【０００７】
また、上記第１の特徴において、総燃焼熱量Ｔがダンパ開放切り換え基準熱量Ａよりも更に一定熱量Ｑ以上になっていない限りにおける、一定熱量Ｑについては、例えば燃焼号数１号とすることができるが、予め実験によって、適当な熱量を設定しておくことができる。燃焼号数１号とは、１リットルの水を１分間に２５℃加熱することができる燃焼熱量をいうものとする。
同様に、上記第２の特徴において、総燃焼熱量Ｔがダンパ閉止切り換え基準熱量Ｂよりも更に一定熱量Ｒ以下になっていない限りにおける、一定熱量Ｒについも、例えば燃焼号数１号とすることができるが、予め実験によって、適当な熱量を設定しておくことができる。
【０００８】
【発明の実施の形態】
以下、本発明の燃焼装置の実施の形態を、図面を参照して説明する。
図１は本発明の実施の形態例にかかる燃焼装置を備えた給湯装置の全体構成図、図２は燃焼装置の詳細図、図３は本発明の実施の形態例にかかる燃焼装置における総燃焼号数とダンパの開閉と送風ファンの回転数及び燃料供給量との関係を示す図、図４はコントローラによる燃焼運転中におけるダンパの開放制御と送風ファンの回転数制御と燃料供給量制御の実施の形態を示す制御フロー図である。図５はコントローラによる燃焼運転中におけるダンパの閉止制御と送風ファンの回転数制御と燃料供給量制御の実施の形態の他の例を示す制御フロー図である。
【０００９】
先ず、本発明の燃焼装置を含む給湯装置の全体構成を図１、図２により説明する。同図で示す燃焼装置Ａは、熱交換缶体としての機能を兼備した形で構成されており、熱交換缶体１０内の下部に気化器２０とバーナ３０とを備え、燃料供給手段４０から送られてくる石油燃料を前記気化器２０で気化して、バーナ３０に送り、燃焼に供するようにしている。また送風器５０とダンパ６０とからなる空気供給手段によって、空気を前記気化器２０及びバーナ３０に送り、燃焼に供するようにしている。
【００１０】
前記熱交換缶体１０内の上部には給湯用回路７０の熱交換管路７２と風呂追い焚き用回路８０の熱交換管路８２とが貫通せられている。
【００１１】
前記気化器２０は、拡散羽根２１、気化ヒータ２２、気化器温度センサ２３、気化壁面２４等からなり、送られてきた石油燃料を拡散羽根２１によって周囲に飛散させながら、周囲の気化壁面２４等で気化させる。気化せられた石油燃料は混合室２５を通ってバーナ３０に導かれ、燃焼に供される。
尚、２６は混合室２５内を加温するための混合室ヒータ、２７は前記拡散羽根２１を回転させるモータ、２８は気化器２０やバーナ３０に送られるために取り入れられる空気の温度を検出する給気温度センサである。
【００１２】
前記バーナ３０には、点火器３１及び炎検出器３２が付加されており、バーナ３０を通って上昇する気化燃料が点火器３１によって点火せられ、燃焼せられる。この燃焼熱によって、前記給湯用回路７０の熱交換管路７２を通る水が加熱され、また風呂追い焚き用回路８０の熱交換管路８２を通る浴槽水が加熱せられる。
【００１３】
前記燃料供給手段４０は、図示しない石油タンクからの石油が汲み上げポンプ４１によって一旦石油サブタンク４２に蓄えられ、その石油サブタンク４２から定流量ポンプ４３によって前記気化器２０の拡散羽根２１まで導くように構成されている。
【００１４】
前記送風器５０は、送風ファン５１と駆動モータ５２とからなり、送風の風量を検出するための回転数センサ５３等を備えている。送風ファン５１を所定の回転数で回転させることで、対応する風量を供給することができる。
一方、前記ダンパ６０は前記送風器５０からの送風途中に配置され、送風器５０から送られてくる風量に対して、下流側への通風度合いを大、小の２段階に切り換える。実際には、ダンパ６０にはダンパ６０そのものの壁等に図示しない通気穴等の通気手段が設けられており、図示しない電動モータ等の駆動手段によって、ダンパ６０が通風路を閉止した状態（図２において実線で示す）で、通風度合いが小の状態となるようにしている。またダンパ６０から通風路が開放された状態（図２において破線で示す）で、通風度合い大の状態となるようにしている。
ダンパ６０を通過した空気は一次空気として気化器２０側に送られ、更に気化器２０から混合室２５を通ってバーナ３０に供給される。またダンパ６０を通過した他の空気は二次空気としてバーナ３０に直接的に供給される。また前記二次空気の一部は無効空気となって熱交換缶体１０内に入る。
以上のようにして、バーナ３０に供給される空気は、送風器５０とダンパ６０によって燃焼熱量に見合った所定の空気が供給されるように後述するコントローラで制御される。
【００１５】
前記給湯用回路７０においては、入水管路７１から入った水は既述した熱交換管路７２を通って加熱され、出湯管路７３に出湯される。また前記入水管路７１から出湯管路７３へ管路を短絡するバイパス管路７４が設けられており、該バイパス管路７４と前記出湯管路７３との合流点から下流が給湯管路７５となっている。バイパス管路７４にはバイパス水量比例弁７４ａが設けられており、バイパス管路７４を通って前記出湯管路７３に合流せられるバイパス水量を調節することができるようになっている。
給湯管路７５は途中で一般給湯管路７５ａと風呂落とし込み給湯管路７５ｂとに分岐せられている。
７６は入水流量センサ、７７は入水温度センサ、７８は出湯温度センサ、７９は給湯温度センサである。
前記燃焼装置Ａによる燃焼運転は、前記入水流量センサ７６が最低作動水量以上を検出することで開始されるようになされている。
【００１６】
前記給湯用回路７０を用いた給湯運転においては、給湯温度が設定されると、該設定給湯温度に対して、例えば熱交換缶体１０から出湯管路７３に出湯される出湯温度を前記設定給湯温度よりも適当に高い値として設定し、該設定出湯温度になるように必要燃焼熱量を入水温度と入水流量と設定出湯温度とから演算し、演算された燃焼熱量をＦＦ燃焼熱量として入力すると共に、実際に出湯される出湯温度を設定出湯温度と比較して、必要な正または負のＦＢ燃焼熱量を前記ＦＦ燃焼熱量に加えて、補正を行う。そして出湯管路７３に流れる出湯に対して、バイパス管路７４からの水を適当に加えることで、最終的に所定の設定給湯温度に調節する。出湯管路７３に出湯される温水の温度を設定給湯温度よりも適当に高い温度としておくことで、最初から出湯温度が設定給湯温度よりも低い温度となってしまうといったことを予防することができると共に、バイパス管路７４からの混水量を調節することで確実に設定給湯温度に調節することできる。
【００１７】
前記風呂追い焚き用回路８０においては、図示しない浴槽からの浴槽水が風呂戻り管路８１から熱交換管路８２を通って加熱され、風呂往き管路８３を通って浴槽に循環するように構成されている。前記風呂落とし込み給湯管路７５ｂは前記風呂戻り管路８１と風呂往き管路８３とを短絡するバイパス管路８４に接続されている。
８５は循環ポンプ、８６は水量センサである。燃焼装置Ａによる燃焼運転は、前記水量センサ８６が最低作動水量以上を検出することで開始されるようになされている。
【００１８】
９０はコントローラで、燃焼装置Ａ及び該燃焼装置Ａを備えた給湯装置全体の制御を行うものである。
コントローラ９０による、ダンパ６０の開、閉の制御と、送風器の風量（送風ファン５１による回転数）の制御と、定流量ポンプ４３による燃料供給量の制御は、図３に示すように、燃焼運転中におけるＦＦ燃焼熱量とＦＢ燃焼熱量との和である総燃焼熱量Ｔ（総燃焼号数）の程度に関連づけられて行われる。
即ち図３、図４とを参照して、本発明による制御における第１の実施の形態を説明する。今、燃焼運転中（ステップＳ１においてイエス）で、ダンパ６０が閉の状態にある（ステップＳ２でイエス）場合において、総燃焼熱量Ｔ（ＦＦ燃焼号数＋ＦＢ燃焼号数）がダンパ開放切り換え基準熱量Ａ（例えば燃焼号数１２号）以上となった（ステップＳ３でイエス）場合には、コントローラ９０は更に、総燃焼熱量Ｔがダンパ開放切り換え基準熱量Ａよりも更に一定熱量Ｑ以上となっているか否かを判断する（ステップＳ４）。
【００１９】
そして前記ステップＳ４において、総燃焼熱量Ｔがダンパ開放切り換え基準熱量Ａよりも更に一定熱量Ｑ以上となっている場合（ステップＳ４でイエス）には、ダンパ６０を開放し、送風器５０（送風ファン５１）の風量（回転数）をダンパ６０が開の場合における総燃焼熱量Ｔに対応する風量になるように制御し、また燃料供給量を総燃焼熱量Ｔに対応する供給量とする（ステップＳ５）。
一方、前記ステップＳ４において、総燃焼熱量Ｔがダンパ開放切り換え基準熱量Ａ以上ではあるが、更に一定熱量Ｑ以上とはなっていない場合（ステップＳ４でノー）には、ダンパ６０は引き続き閉のままとし、且つ送風器５０の風量をダンパ６０が閉のときにおけるダンパ開放切り換え基準熱量Ａに対応する風量に固定すると共に燃料供給量もダンパ開放切り換え基準熱量Ａに対応する供給量に固定して運転を行う（ステップＳ６）。即ち、総燃焼熱量Ｔがダンパ開放切り換え基準熱量Ａ以上となっていても、ダンパ６０を閉のままでダンパ開放切り換え基準熱量Ａ状態での運転を行うようにしている。
【００２０】
前記ステップＳ６において、総燃焼熱量Ｔがダンパ開放切り換え基準熱量Ａ以上となっているにもかかわらず、ダンパ開放切り換え基準熱量Ａとなるように運転する場合には、熱交換缶体１０から出湯管路７３に出湯される温水の温度は所定の設定出湯温度より低くなることになるが、それでも通常は設定給湯温度よりも高い温度となるので、その後におけるバイパス管路７４からの混水の度合いを調整することで、所定の給湯設定温度の温水を供給を確保することができる。
そして、総燃焼熱量Ｔがダンパ開放切り換え基準熱量Ａ以上となっても、更に一定熱量Ｑ以上とならない場合にはダンパを切り換えずに閉のままに保持することで、ダンパ６０の切り換えにおけるヒステリシスを実質的に大きくすることができ、ダンパ６０が頻繁に開閉するハンチング現象を効果的に防止することができる。
その一方、ダンパ６０を閉から開に切り換える場合に伴う送風器５０の風量の変更の程度がより大きくなるのを避けることができ、ダンパ切り換え時におけるバーナ等への空気供給量の過渡的な急変や不安定化の増大を予防して、安定した燃焼を可能とすることができる。
【００２１】
上記の第１の実施の形態においては、本発明がダンパ６０を閉から開状態に切り換える場合に適用された場合を示した。が、次に説明する本発明の第２の形態では、本発明がダンパ６０を開から閉状態に切り換える場合に適用された場合を示す。
即ち、図３と図５を参照して、本発明による制御における第２の実施の形態を説明する。今、燃焼運転中（ステップＳ１１においてイエス）で、ダンパ６０が開の状態にある（ステップＳ１２でイエス）場合において、総燃焼熱量Ｔ（ＦＦ燃焼号数＋ＦＢ燃焼号数）がダンパ閉止切り換え基準熱量Ｂ（例えば燃焼号数１０号）以下となった（ステップＳ１３でイエス）場合には、コントローラ９０は更に、総燃焼熱量Ｔがダンパ閉止切り換え基準熱量Ｂよりも更に一定熱量Ｒ以下となっているか否かを判断する（ステップＳ１４）。
【００２２】
そして前記ステップＳ１４において、総燃焼熱量Ｔがダンパ閉止切り換え基準熱量Ｂよりも更に一定熱量Ｒ以下となっている場合（ステップＳ１４でイエス）には、ダンパ６０を開から閉に切り換え、送風器５０（送風ファン５１）の風量（回転数）をダンパ６０が閉の場合における総燃焼熱量Ｔに対応する風量になるように制御し、また燃料供給量を総燃焼熱量Ｔに対応する供給量とする（ステップＳ１５）
一方、前記ステップＳ１４において、総燃焼熱量Ｔがダンパ閉止切り換え基準熱量Ｂ以下ではあるが、更に一定熱量Ｒ以下とはなっていない場合（ステップＳ１４でノー）には、ダンパ６０は引き続き開に保持したままとし、且つ送風器５０の風量をダンパ６０が開のときにおけるダンパ閉止切り換え基準熱量Ｂに対応する風量に固定すると共に燃料供給量もダンパ閉止切り換え基準熱量Ｂに対応する供給量に固定して運転を行う（ステップＳ１６）。即ち、総燃焼熱量Ｔがダンパ閉止切り換え基準熱量Ｂ以下となっていても、ダンパ６０を開のままでダンパ閉止切り換え基準熱量Ｂ状態での運転を行うようにしている。
【００２３】
前記ステップＳ１６において、総燃焼熱量Ｔがダンパ開放切り換え基準熱量Ｂ以下となっているにもかかわらず、ダンパ開放切り換え基準熱量Ｂとなるように運転する場合には、熱交換缶体１０から出湯管路７３に出湯される温水の温度は所定の設定出湯温度より高くなることになるが、その後におけるバイパス管路７４からの混水の度合いを調整することで、所定の給湯設定温度の温水を供給を確保することができる。
そして、総燃焼熱量Ｔがダンパ閉止切り換え基準熱量Ｂ以下となっても、更に一定熱量Ｒ以下とならない場合にはダンパを切り換えずに開のままに保持することで、ダンパ６０の切り換えにおけるヒステリシスをそれだけ大きくすることができ、ダンパ６０のハンチング現象を効果的に防止することができる。
その一方、ダンパ６０を開から閉に切り換える場合に伴う送風器５０の風量の変更の程度がより大きくなるのを避けることができ、ダンパ切り換え時におけるバーナ３０等への空気供給量の過渡的な急変や不安定化の増大を予防して、安定した燃焼を可能とすることができる。
【００２４】
尚、上記において、第１の実施の形態と第２の実施の形態はそれぞれ独立して成立するものではあるが、両実施の形態を組み合わせたものもまた本発明の実施形態の１つとなる。
【００２５】
【発明の効果】
本発明は以上のように構成され、請求項１に記載の燃焼装置によれば、バーナと、該バーナへ燃料を供給する手段と、前記バーナへ空気を供給するための送風器と、該送風器からの送風途中に配置されて空気の通風度合いを制御するダンパとを少なくとも有し、燃焼運転中においては必要燃焼熱量に対してフィードフォワード燃焼熱量とフィードバック燃焼熱量とにより燃焼熱量の調整を行うようにすると共に、フィードフォワード燃焼熱量にフィードバック燃焼熱量を加えた総燃焼熱量Ｔの大、小によって前記ダンパを開、閉に切り換えるようにした燃焼装置であって、ダンパが閉の状態において、例え前記総燃焼熱量Ｔがダンパ開放切り換え基準熱量Ａ以上となった場合でも、該総燃焼熱量Ｔがダンパ開放切り換え基準熱量Ａよりも更に一定熱量Ｑ以上になるまでは、ダンパを元の閉状態に保持すると共に、送風器による風量をダンパが閉のときの前記ダンパ開放切り換え基準熱量Ａに対応する風量に固定し、且つ燃料供給量もダンパ開放切り換え基準熱量Ａに対応する供給量に固定するように制御するコントローラを設けたので、
総燃焼熱量Ｔがダンパ開放切り換え基準熱量Ａ以上となっても、更に一定熱量Ｑ以上とならない場合にはダンパを切り換えずに閉のままに保持することができ、これによってダンパの切り換えにおけるヒステリシスを実質的に大きくすることができ、ダンパが頻繁に開閉するハンチング現象を効果的に防止することができる。しかも、総燃焼熱量Ｔがダンパ開放切り換え基準熱量Ａ以上となっても、風量と燃料供給量は前記総燃焼熱量Ｔよりも小さいダンパ開放切り換え基準熱量Ａに対応する量に保持されるので、ダンパを閉から開に切り換える場合に伴う送風器の風量の変更程度がより大きくなるのを避けることができ、これによってダンパ切り換え時におけるバーナ等への空気供給量の過渡的な急減や急変或いは不安定化の増大を予防して、安定した燃焼を可能とすることができる。
また請求項２に記載の燃焼装置によれば、バーナと、該バーナへ燃料を供給する手段と、前記バーナへ空気を供給するための送風器と、該送風器からの送風途中に配置されて空気の通風度合いを制御するダンパとを少なくとも有し、燃焼運転中においては必要燃焼熱量に対してフィードフォワード燃焼熱量とフィードバック燃焼熱量とにより燃焼熱量の調整を行うようにすると共に、フィードフォワード燃焼熱量にフィードバック燃焼熱量を加えた総燃焼熱量Ｔの大、小によって前記ダンパを開、閉に切り換えるようにした燃焼装置であって、ダンパが開の状態において、例え前記総燃焼熱量Ｔがダンパ閉止切り換え基準熱量Ｂ以下となった場合でも、該総燃焼熱量Ｔがダンパ閉止切り換え基準熱量Ｂよりも更に一定熱量Ｒ以下になるまでは、ダンパを元の開状態に保持すると共に、送風器による風量をダンパが開のときの前記ダンパ閉止切り換え基準熱量Ｂに対応する風量に固定し、且つ燃料供給量もダンパ閉止切り換え基準熱量Ｂに対応する供給量に固定するように制御するコントローラを設けたので、
総燃焼熱量Ｔがダンパ開閉切り換え基準熱量Ｂ以下となっても、更に一定熱量Ｒ以下とならない場合にはダンパを切り換えずに開のままに保持することができ、これによってダンパの切り換えにおけるヒステリシスを実質的に大きくすることができ、ダンパが頻繁に開閉するハンチング現象を効果的に防止することができる。しかも、総燃焼熱量Ｔがダンパ閉止切り換え基準熱量Ｂ以下となっても、風量と燃料供給量は前記総燃焼熱量Ｔよりも大きいダンパ開放切り換え基準熱量Ｂに対応する量に保持されるので、ダンパを開から閉に切り換える場合に伴う送風器の風量の変更程度がより大きくなるのを避けることができ、これによってダンパ切り換え時におけるバーナ等への空気供給量の過渡的な急増や急変或いは不安定化の増大を予防して、安定した燃焼を可能とすることができる。
【図面の簡単な説明】
【図１】本発明の実施の形態例にかかる燃焼装置を備えた給湯装置の全体構成図である。
【図２】本発明の実施の形態例にかかる燃焼装置の詳細図である。
【図３】本発明の実施の形態例にかかる燃焼装置における総燃焼号数とダンパの開閉と送風ファンの回転数及び燃料供給量との関係を示す図である。
【図４】コントローラによる燃焼運転中におけるダンパの開放制御と送風ファンの回転数制御と燃料供給量制御の実施の形態を示す制御フロー図である。
【図５】コントローラによる燃焼運転中におけるダンパの閉止制御と送風ファンの回転数制御と燃料供給量制御の実施の形態の他の例を示す制御フロー図である。
【符号の説明】
Ａ  燃焼装置
１０  熱交換缶体
２０  気化器
３０  バーナ
４０  燃料供給手段
５０  送風器
５１  送風ファン
６０  ダンパ
７０  給湯用回路
８０  風呂追い焚き用回路
９０  コントローラ
【図１】
0003570227.tif 000002
【図２】
0003570227.tif 000003
【図３】
0003570227.tif 000004
【図４】
0003570227.tif 000005
【図５】
0003570227.tif 000006